(57)【要約】【課題】素手で直接触れることができない高温の食器を把持したいとき、最小限の力で効率よく把持できる食器把持用トングを提供する。【解決手段】食器把持用トング１を、食器を把持するための把持部材２１，２２と、一端が把持部材２１，２２に接続されるとともに、連結部５において相互に連結され、連結部５を軸として開閉可能である柄４１，４２と、連結部５近傍に設けられ、柄４１，４２を開方向ＯＰに付勢する弾性体とを備え、把持部材２１が、柄４１，４２の開閉の軌跡がなす面に対し突出するとともに、閉方向ＣＬに向かって屈曲した鉤状をなす突起３１を有し、把持部材２２が、柄４２の長さ方向に沿って並ぶ二点から、柄４１，４２の開閉の軌跡がなす面に対し突出し、当該面から遠ざかるにしたがって相互に遠ざかる形状をなす突起３２を有するように構成する。【選択図】図１
2020142043.tif 000002
【特許請求の範囲】
【請求項１】
食器を把持するための一対の把持部材と、一端が前記把持部材に接続されるとともに、他端近傍において相互に連結され、該連結部を軸として開閉可能である一対の柄と、前記一対の柄の連結部近傍に設けられ、前記一対の柄を開方向に付勢する弾性体とを備え、
一方の前記把持部材は、前記一対の柄の開閉の軌跡がなす面に対し突出するとともに、閉方向に向かって屈曲した鉤状をなすことにより、前記食器の縁に引っ掛けられ得る第一の突起を有し、
他方の前記把持部材は、該把持部材に接続された前記柄の長さ方向に沿って並ぶ二点から、前記一対の柄の開閉の軌跡がなす面に対し突出し、当該面から遠ざかるにしたがって相互に遠ざかる形状をなすことにより、前記食器の高台近傍を平面視において前記第一の突起と同方向から支持し得る第二の突起を有し、
前記一対の柄の開閉方向が水平面から４５度以上傾斜した状態で前記食器を把持し得る食器把持用トング。
【請求項２】
請求項１に記載の食器把持用トングであって、
前記把持部材は、ゴムを用いた表層部と、剛性材を用いた芯部とからなり、
前記芯部は、前記柄の一端に固着されており、又は、前記柄と一体に形成されており、
前記一方の把持部材の芯部は、該把持部材と柄の接続部から前記第一の突起の先端近傍まで連続しており、
前記他方の把持部材の芯部は、該把持部材と柄の接続部から前記第二の突起の各先端近傍まで連続している食器把持用トング。
【請求項３】
請求項１又は請求項２に記載の食器把持用トングであって、
前記把持部材が該表面に高摩擦領域を有する食器把持用トング。
【発明の詳細な説明】
【技術分野】
【０００１】  加熱調理後に高温になった食器を把持するための食器把持用トングに関する。
【背景技術】
【０００２】  高温の食器を把持するための従来技術には、例えば、特許文献１に開示されたクランプ器具がある。これはるつぼばさみの形態を応用したクランプ器具で、食器の側面の曲面を裏表から挟み込み保持するものである。【０００３】  しかしながら、このクランプ器具には、食器を保持する際に食器に対し作用する重力と食器に作用させるクランプ力が垂直関係にあり、保持するために必要な力が大きく、食器が破損する可能性があるという問題点があった。
【先行技術文献】
【特許文献】
【０００４】
【特許文献１】実願昭５２−１２８７８０号（実開昭５４−５９９５７号）のマイクロフィルム
【発明の概要】
【発明が解決しようとする課題】
【０００５】  本発明の主な目的は、素手で直接触れることができない高温の食器を把持したいとき、最小限の力で効率よく把持できる食器把持用トングを提供することにある。
【課題を解決するための手段及び発明の効果】
【０００６】  本発明の第１の側面に係る食器把持用トングは、食器を把持するための一対の把持部材と、一端が前記把持部材に接続されるとともに、他端近傍において相互に連結され、該連結部を軸として開閉可能である一対の柄と、前記一対の柄の連結部近傍に設けられ、前記一対の柄を開方向に付勢する弾性体とを備え、一方の前記把持部材は、前記一対の柄の開閉の軌跡がなす面に対し突出するとともに、閉方向に向かって屈曲した鉤状をなすことにより、前記食器の縁に引っ掛けられ得る第一の突起を有し、他方の前記把持部材は、該把持部材に接続された前記柄の長さ方向に沿って並ぶ二点から、前記一対の柄の開閉の軌跡がなす面に対し突出し、当該面から遠ざかるにしたがって相互に遠ざかる形状をなすことにより、前記食器の高台近傍を平面視において前記第一の突起と同方向から支持し得る第二の突起を有し、前記一対の柄の開閉方向が水平面から４５度以上傾斜した状態で前記食器を把持し得ることを特徴としている。前記構成により、食器を把持する際に、食器表面上の離れた三点の接点から支えることができ、安定した把持を実現することができる。また、第二の突起によって食器を下方の二点から支持することができるため、食器に対し作用する重力に効率良く抗することができ、より小さい力で食器を持ち上げることができる。さらに、食器に加えられる力が小さいため、食器に余分な負荷をかけることなく把持できるので、食器を破損させることもない。
【０００７】  また、本発明の第２の側面に係る食器把持用トングは、前記把持部材が、ゴムを用いた表層部と、剛性材を用いた芯部とからなり、前記芯部は、前記柄の一端に固着されており、又は、前記柄と一体に形成されており、前記一方の把持部材の芯部は、該把持部材と柄の接続部から前記第一の突起の先端近傍まで連続しており、前記他方の把持部材の芯部は、該把持部材と柄の接続部から前記第二の突起の各先端近傍まで連続していることを特徴としている。前記構成により、食器を把持する際に滑りにくくすることができ、把持した際に食器とその内容物との重みによるトングのたわみを軽減することができる。
【０００８】  さらにまた、本発明の第３の側面に係る食器把持用トングは、前記把持部材が該表面に高摩擦領域を有することを特徴としている。前記構成により、より小さい力で効率的に食器を把持することができる。
【図面の簡単な説明】
【０００９】
【図１】本発明を適用した食器把持用トングの全体図である。
【図２】本発明を適用した食器把持用トングの使用時の状態を、連結部側から水平に眺めた際に視認される様子を示した説明図である。
【図３】把持部材２１の断面図である。
【図４】把持部材２２の断面図である。
【発明を実施するための形態】
【００１０】  以下、本発明を適用した具体的な実施の形態について、図面を参照しながら詳細に説明する。
（食器把持用トング１）
【００１１】  食器把持用トング１は、図１及び図２に示すように、お椀ＢＬのような食器を把持するための一対の把持部材２１，２２と、一端が把持部材２１，２２に接続されるとともに、他端近傍において相互に連結され、連結部５を軸として開閉可能である一対の柄４１，４２と、柄４１，４２の連結部５近傍に設けられ、柄４１，４２を開方向ＯＰに付勢する弾性体（図示していない。）とを備えている。
（把持部材２１，２２）
【００１２】  把持部材２１，２２は人が物をつかむ動作をする際の手の形を模した部材であり、把持部材２１は親指及び母指球に、把持部材２２は人差し指から小指までに対応している。
【００１３】  また、把持部材２１，２２は、図３及び図４に示すように、ゴムを用いた表層部２１１，２２１と、剛性材を用いた芯部２１２，２２２とからなり、芯部２１２，２２２は、柄４１，４２の一端に固着されており、又は、柄４１，４２と一体に形成されている。
【００１４】  把持部材２１の芯部２１２は、把持部材２１と柄４１の接続部から突起３１（特許請求の範囲における「第一の突起」の一例に相当する。）の先端近傍まで連続しており、把持部材２２の芯部２２２は、把持部材２２と柄４２の接続部から突起３２（特許請求の範囲における「第二の突起」の一例に相当する。）の各先端近傍まで連続している。
【００１５】  なお、表層部２１１，２２１に用いられる素材は、例えばシリコンゴムのような高温に耐えることができ、柔軟性のある高摩擦力の素材が好ましい。また、芯部２１２，２２２に用いられる剛性材としては、例えばポリプロピレンのような靭性の高い高温に耐えうるプラスチックなどが適している。
【００１６】  さらに、把持部材２１，２２は、その表面に高摩擦領域を有する。高摩擦領域は、他の表面より摩擦係数の大きい領域であり、例えば複数本の細かい溝を設けることにより形成することができる。
（突起３１）
【００１７】  突起３１は、把持部材２１の一部であり、柄４１，４２の開閉の軌跡がなす面に対し突出するとともに、閉方向ＣＬに向かって屈曲した鉤状をなしている。この形状は、人がお椀ＢＬを持つ際の親指に当たる形状を模したものであり、図２に示すように、お椀ＢＬの淵に引っ掛かるようになっている。また、突起３１がお椀ＢＬに引っ掛けられた状態において、把持部材２１とお椀ＢＬとが接する部分を中心に、高摩擦領域が設けられていることが望ましい。
（突起３２）
【００１８】  突起３２は、把持部材２２の一部であり、把持部材２２に接続された柄４２の長さ方向に沿って並ぶ二点から、柄４１，４２の開閉の軌跡がなす面に対し突出し、当該面から遠ざかるにしたがって相互に遠ざかる形状をなしている。この形状は、人差し指と小指を模したものであり、お椀ＢＬの高台近傍を平面視において突起３１と同方向から支持できるようになっている。このように、突起３２が二本の相互に遠ざかる形状をなしていることにより様々な形状のお椀の底部に対応できるようになっている。なお、突起３２は、お椀と接する側へ内巻きに湾曲しているのが望ましい。また、突起３２とお椀ＢＬとが接する部分にも、高摩擦領域が設けられていることが望ましい。
（柄４１，４２）
【００１９】  柄４１，４２は、それぞれ捻じれやたわみに強い成型加工がなされた長尺の部材である。柄４１，４２の一端にはそれぞれ把持部材２１，２２が接続されており、他端近傍の連結部５において、連結部５を軸として開閉可能な状態で相互に連結されている。
【００２０】  柄４１，４２は例としてステンレスのように高温多湿に耐えうる金属が用いられ、断面が四角形になるようにプレス加工されているのが望ましい。
【００２１】  連結部５は、柄４１，４２のそれぞれを開方向ＯＰに付勢するコイルバネなどの弾性体を内包しており、外力により把持部材２１，２２の間隔が狭められた後に、外力の減少にともない把持部材２１，２２の間隔が元に戻るようになっている。なお、連結部５は、柄４１，４２の端部をつなぐ板バネにより形成されてもよい。
（食器把持用トング１の使用方法）
【００２２】  まず、把持部材２１側が上になるように縦に片手で持ち突起３１をお椀ＢＬの縁に引っ掛ける。そして引っ掛けた突起３１を中心にお椀ＢＬの下部に突起３２でお椀ＢＬの底部の高台を挟み込むように回し、把持部材２２がお椀ＢＬ下部に密着し、お椀ＢＬの突起３２を引っ掛けた対角側が少し浮くくらいまで回転させる。これにより、柄４１，４２の開閉方向が水平面から４５度以上傾斜した状態でお椀ＢＬを把持することができる。また、図２に示したお椀ＢＬのような形状の食器以外にも、径の大小、側面の傾斜の如何を問わず、様々な形状の食器を把持することが可能である。
【００２３】  なお、本発明は前述した実施の形態のみに限定されるものではなく、本発明の要旨を逸脱しない範囲において種々の変更が可能であることは勿論である。
【産業上の利用可能性】
【００２４】  本発明に係る食器把持用トングは、電子レンジで内容物とともに高温状態まで加熱されたお椀を取り出す際において好適に使用できる。
【符号の説明】
【００２５】１…食器把持用トング
２１，２２…把持部材
２１１，２２１…表層部
２１２，２２２…芯部
３１，３２…突起
４１，４２…柄
５…連結部
ＢＬ…お椀
ＯＰ…開方向
ＣＬ…閉方向
【図１】
2020142043.tif 000003
【図２】
2020142043.tif 000004
【図３】
2020142043.tif 000005
【図４】
2020142043.tif 000006
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
食器を把持するための一対の把持部材と、一端が前記把持部材に接続されるとともに、他端近傍において連結部を介して相互に連結され、該連結部を軸として開閉可能である一対の柄と、前記一対の柄の連結部近傍に設けられ、前記一対の柄を開方向に付勢する弾性体とを備え、
一方の前記把持部材は、前記一対の柄の開閉の軌跡がなす面に対し突出するとともに、閉方向に向かって屈曲した鉤状をなすことにより、前記食器の縁に引っ掛けられ得る第一の突起を有し、
他方の前記把持部材は、該把持部材に接続された前記柄の長さ方向に沿って並ぶ二点から、前記一対の柄の開閉の軌跡がなす面に対し突出し、当該面から遠ざかるにしたがって相互に遠ざかる形状をなすことにより、前記食器の高台近傍を平面視において前記第一の突起と同方向から支持し得る第二の突起を有し、
前記一対の柄の開閉の軌跡がなす面の、前記第一の突起及び第二の突起が突出する側が上になる状態で前記食器を把持し得る食器把持用トング。
【請求項２】
請求項１に記載の食器把持用トングであって、
前記把持部材は、ゴムを用いた表層部と、剛性材を用いた芯部とからなり、
前記芯部は、前記柄の一端に固着されており、又は、前記柄と一体に形成されており、
前記一方の把持部材の芯部は、該把持部材と柄の接続部から前記第一の突起の先端近傍まで連続しており、
前記他方の把持部材の芯部は、該把持部材と柄の接続部から前記第二の突起の各先端近傍まで連続している食器把持用トング。
【請求項３】
請求項１又は請求項２に記載の食器把持用トングであって、
前記把持部材の表面に高摩擦領域を有する食器把持用トング。
【手続補正２】
【補正対象書類名】明細書
【補正対象項目名】００２２
【補正方法】変更
【補正の内容】
【００２２】  まず、把持部材２１側が上になるように縦に片手で持ち突起３１をお椀ＢＬの縁に引っ掛ける。そして引っ掛けた突起３１を中心にお椀ＢＬの下部に突起３２でお椀ＢＬの底部の高台を挟み込むように回し、把持部材２２がお椀ＢＬ下部に密着し、お椀ＢＬの突起３２を引っ掛けた対角側が少し浮くくらいまで回転させる。これにより、柄４１，４２の開閉の軌跡がなす面の、突起３１及び突起３２が突出する側が上になる状態でお椀ＢＬを把持することができる。また、図２に示したお椀ＢＬのような形状の食器以外にも、径の大小、側面の傾斜の如何を問わず、様々な形状の食器を把持することが可能である。